(57)【特許請求の範囲】
【請求項１】
物体側から像側へ順に、正の屈折力の第１レンズ群Ｇ１、負の屈折力の第２レンズ群Ｇ２、負の屈折力の第３レンズ群Ｇ３から構成され、前記第２レンズ群Ｇ２を光軸に沿って移動させることによりフォーカシングを行うインナーフォーカス式の結像光学系において、
前記第１レンズ群Ｇ１は第１レンズ群Ｇ１内の最も広いレンズ間隔を境に正の屈折力の第１ａレンズ群Ｇ１ａ、正の屈折力の第１ｂレンズ群Ｇ１ｂより成り、
前記第１ａレンズ群Ｇ１ａは２枚の正レンズと１枚の負レンズから成り、前記第１ｂレンズ群Ｇ１ｂは１枚の正レンズと１枚の負レンズから構成され、
前記第３レンズ群Ｇ３は物体側から順に、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、前記第３ｂレンズ群Ｇ３ｂを光軸に対して略垂直方向へ移動させることにより撮影画像の結像位置を変位させ、
以下に示す条件式を満足することを特徴とするインナーフォーカス式の結像光学系。
（１）        ０．２５＜ｆ１／ｆ＜０．６０
（２）      −０．６０＜ｆ２／ｆ＜−０．１５
（３）      −２．５０＜ｆ３／ｆ＜−０．２５
（４）        ０．１５＜ｆ３ａ／ｆ＜２．００
（５）      −０．２０＜ｆ３ｂ／ｆ＜−０．０４
（６）        ０．０５＜ｆ３ｃ／ｆ＜０．２５
（７）        ８０＜νｄ１ａｐ
（８）        ０．０３０＜θｇＦ１ａｐ−０．６４８３＋０．００１８×νｄ１ａｐ
（９）        θｇＦ１ａｎ−０．６４８３＋０．００１８×νｄ１ａｎ＜０．０００
但し、
ｆ：無限遠撮影時の光学系全系の焦点距離
ｆ１：第１レンズ群Ｇ１の焦点距離
ｆ２：第２レンズ群Ｇ２の焦点距離
ｆ３：第３レンズ群Ｇ３の焦点距離
ｆ３ａ：第３ａレンズ群Ｇ３ａの焦点距離
ｆ３ｂ：第３ｂレンズ群Ｇ３ｂの焦点距離
ｆ３ｃ：第３ｃレンズ群Ｇ３ｃの焦点距離
νｄ１ａｐ：第１ａレンズ群Ｇ１ａが有する２枚の正レンズの材料の、ｄ線に対するアッベ数
θｇＦ１ａｐ：第１ａレンズ群Ｇ１ａが有する２枚の正レンズの材料の、ｇ線とＦ線に対する部分分散比
νｄ１ａｎ：第１ａレンズ群Ｇ１ａが有する１枚の負レンズの材料の、ｄ線に対するアッベ数
θｇＦ１ａｎ：第１ａレンズ群Ｇ１ａが有する１枚の負レンズの材料の、ｇ線とＦ線に対する部分分散比
【請求項２】
以下に示す条件式を満足することを特徴とする請求項１に記載の結像光学系。
（１０）        ６５＜νｄ１ｂｐ
（１１）        ０．０１５＜θｇＦ１ｂｐ−０．６４８３＋０．００１８×νｄ１ｂｐ
（１２）        θｇＦ１ｂｎ−０．６４８３＋０．００１８×νｄ１ｂｎ＜０．０００
但し、
νｄ１ｂｐ：第１ｂレンズ群Ｇ１ｂが有する正レンズの材料の、ｄ線に対するアッベ数
θｇＦ１ｂｐ：第１ｂレンズ群Ｇ１ｂが有する正レンズの材料の、ｇ線とＦ線に対する部分分散比
νｄ１ｂｎ：第１ｂレンズ群Ｇ１ｂが有する負レンズの材料の、ｄ線に対するアッベ数
θｇＦ１ｂｎ：第１ｂレンズ群Ｇ１ｂが有する負レンズの材料の、ｇ線とＦ線に対する部分分散比
【請求項３】
前記第２レンズ群は１枚の正レンズと１枚の負レンズとを接合した接合レンズから構成され、以下に示す条件式を満足することを特徴とする請求項１又は２に記載の結像光学系。
（１３）        Ｄ２／ＬＴ＜０．６５
但し、
Ｄ２：無限遠における、第２レンズ群の最も物体側のレンズ面から像面までの距離
ＬＴ：無限遠における、光学系全系の最も物体側のレンズ面から像面までの距離
【発明の詳細な説明】
【技術分野】
【０００１】
本発明はデジタルスチルカメラ、ビデオカメラなどに用いられる撮影レンズに好適な結像光学系に関する。
【背景技術】
【０００２】
従来から、長焦点距離の撮影レンズに好適な結像光学系として、物体側から像側へ順に、正の屈折力の前方レンズ群と、負の屈折力の後方レンズ群とを有するテレフォトタイプの結像光学系（望遠レンズ）が知られている。
【０００３】
近年、多くの望遠レンズではフォーカシングにおいて結像光学系全体ではなく、その一部のレンズ群を移動させてフォーカシングを行っている。特に、前方レンズ群以外の比較的軽量なレンズ群を移動させてフォーカシングを行うインナーフォーカス式の望遠レンズが多く知られている。
【０００４】
また、長焦点距離の結像光学系では振動による光学系の傾きによる像位置の変位、所謂撮影画像のブレの影響が大きくなる。その為、撮影画像のブレが発生しないよう補正する機能（防振機能）を備えた望遠レンズが知られている。中でも、一部のレンズ群（防振群）を光軸に対して略垂直方向に移動させることにより撮影画像のブレを補正する望遠レンズが多く知られている。
【先行技術文献】
【特許文献】
【０００５】
【特許文献１】特開２００９−１８０８２７号公報
【特許文献２】特許３４８６５４１号公報
【発明の概要】
【発明が解決しようとする課題】
【０００６】
近年では、撮像素子の高画素化のため、より良好に収差を補正した結像光学系が求められている。また、高い光学性能と同時に光学系全系の小型化、軽量化、より高速なフォーカシング、より高い防振機能が望まれる。特に、フォーカス群及び防振群の小型化、軽量化は、高速なフォーカシング、高い防振機能の実現に有利なだけではなく、小型のアクチュエータで駆動可能になることにより撮影レンズ全体の小型化、軽量化にもつながる。
【０００７】
特許文献１に記載の光学系は、第３レンズ群が物体側より順に正の屈折力の第３ａレンズ群と負の屈折力の第３ｂレンズ群より成り、第３ａレンズ群を光軸に対して略垂直方向に移動させることにより防振を行っている。しかしながら、防振群付近の光線高が高いために、防振群の径が大きく、小型化、軽量化が十分とは言えない。また、防振係数（防振時における撮影画像の結像位置の変位量と防振群の移動量との比）が１．４から１．７となっているが、防振群の移動量を抑制してアクチュエータを含めた防振機構を小型化するためには、より大きな防振係数が望ましい。
【０００８】
特許文献２に記載の光学系は、第３レンズ群が物体側より順に正の屈折力の第３ａレンズ群と負の屈折力の第３ｂレンズ群、正の屈折力の第３ｃレンズ群の３つのレンズ群より成り、第３ｂレンズ群を光軸に対して略垂直方向に移動させることにより防振を行っている。それにより防振群の径を下げ、小型化、軽量化を行っている。しかしながら、フォーカス群付近の光線高が高いために、フォーカス群の径が大きく、小型化、軽量化が十分とは言えない。その為、フォーカシングの高速化に不利であり、また駆動用のアクチュエータの大型化により撮影レンズ全体の小型化にも不利になる。
【０００９】
本発明はこのような状況に鑑みてなされたものであり、光学系全系が小型で、特にフォーカス群、防振群の小型化、軽量化を実現しつつ、無限遠物体から近距離物体までの広範囲の物体距離においてフォーカシング時の収差変動が少なく、防振時の収差変動が少なく、高い光学性能を有する結像光学系を提供することを目的とする。
【課題を解決するための手段】
【００１０】
上記課題を解決するための手段である第１の発明は、物体側から像側へ順に、正の屈折力の第１レンズ群Ｇ１、負の屈折力の第２レンズ群Ｇ２、負の屈折力の第３レンズ群Ｇ３から構成され、前記第２レンズ群Ｇ２を光軸に沿って移動させることによりフォーカシングを行うインナーフォーカス式の結像光学系において、前記第１レンズ群Ｇ１は第１レンズ群Ｇ１内の最も広いレンズ間隔を境に正の屈折力の第１ａレンズ群Ｇ１ａ、正の屈折力の第１ｂレンズ群Ｇ１ｂより成り、前記第１ａレンズ群Ｇ１ａは２枚の正レンズと１枚の負レンズから成り、前記第１ｂレンズ群Ｇ１ｂは１枚の正レンズと１枚の負レンズから構成され、前記第３レンズ群Ｇ３は物体側から順に、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、前記第３ｂレンズ群Ｇ３ｂを光軸に対して略垂直方向へ移動させることにより撮影画像の結像位置を変位させ、以下に示す条件式を満足することを特徴とするインナーフォーカス式の結像光学系である。
（１）        ０．２５＜ｆ１／ｆ＜０．６０
（２）      −０．６０＜ｆ２／ｆ＜−０．１５
（３）      −２．５０＜ｆ３／ｆ＜−０．２５
（４）        ０．１５＜ｆ３ａ／ｆ＜２．００
（５）      −０．２０＜ｆ３ｂ／ｆ＜−０．０４
（６）        ０．０５＜ｆ３ｃ／ｆ＜０．２５
但し、
ｆ：無限遠撮影時の光学系全系の焦点距離
ｆ１：第１レンズ群Ｇ１の焦点距離
ｆ２：第２レンズ群Ｇ２の焦点距離
ｆ３：第３レンズ群Ｇ３の焦点距離
ｆ３ａ：第３ａレンズ群Ｇ３ａの焦点距離
ｆ３ｂ：第３ｂレンズ群Ｇ３ｂの焦点距離
ｆ３ｃ：第３ｃレンズ群Ｇ３ｃの焦点距離
【００１１】
また、第１の発明はさらに、以下に示す条件式を満足することを特徴とする結像光学系である。
（７）        ８０＜νｄ１ａｐ
（８）        ０．０３０＜θｇＦ１ａｐ−０．６４８３＋０．００１８×νｄ１ａｐ
（９）        θｇＦ１ａｎ−０．６４８３＋０．００１８×νｄ１ａｎ＜０．０００
但し、
νｄ１ａｐ：第１ａレンズ群Ｇ１ａが有する２枚の正レンズの材料の、ｄ線に対するアッベ数
θｇＦ１ａｐ：第１ａレンズ群Ｇ１ａが有する２枚の正レンズの材料の、ｇ線とＦ線に対する部分分散比
νｄ１ａｎ：第１ａレンズ群Ｇ１ａが有する１枚の負レンズの材料の、ｄ線に対するアッベ数
θｇＦ１ａｎ：第１ａレンズ群Ｇ１ａが有する１枚の負レンズの材料の、ｇ線とＦ線に対する部分分散比
【００１２】
また第２の発明は、第１の発明においてさらに、以下に示す条件式を満足することを特徴とする結像光学系である。
（１０）        ６５＜νｄ１ｂｐ
（１１）        ０．０１５＜θｇＦ１ｂｐ−０．６４８３＋０．００１８×νｄ１ｂｐ
（１２）        θｇＦ１ｂｎ−０．６４８３＋０．００１８×νｄ１ｂｎ＜０．０００
但し、
νｄ１ｂｐ：第１ｂレンズ群Ｇ１ｂが有する正レンズの材料の、ｄ線に対するアッベ数
θｇＦ１ｂｐ：第１ｂレンズ群Ｇ１ｂが有する正レンズの材料の、ｇ線とＦ線に対する部分分散比
νｄ１ｂｎ：第１ｂレンズ群Ｇ１ｂが有する負レンズの材料の、ｄ線に対するアッベ数
θｇＦ１ｂｎ：第１ｂレンズ群Ｇ１ｂが有する負レンズの材料の、ｇ線とＦ線に対する部分分散比
【００１３】
また第３の発明は、第１又は２の発明においてさらに、前記第２レンズ群は１枚の正レンズと１枚の負レンズとを接合した接合レンズから構成され、以下に示す条件式を満足することを特徴とする結像光学系である。
（１３）        Ｄ２／ＬＴ＜０．６５
但し、
Ｄ２：無限遠における、第２レンズ群の最も物体側のレンズ面から像面までの距離
ＬＴ：無限遠における、光学系全系の最も物体側のレンズ面から像面までの距離
【発明の効果】
【００１５】
本発明によれば、光学系全系が小型で、特にフォーカス群、防振群の小型化、軽量化を実現しつつ、無限遠物体から近距離物体までの広範囲の物体距離においてフォーカシング時の収差変動が少なく、防振時の収差変動が少なく、高い光学性能を有する結像光学系を提供することができる。
【図面の簡単な説明】
【００１６】
【図１】本発明の実施例１の無限遠におけるレンズ構成図である。
【図２】本発明の実施例１の無限遠における縦収差図である。
【図３】本発明の実施例１の撮影距離３５００ｍｍにおける縦収差図である。
【図４】本発明の実施例１の無限遠における横収差図である。
【図５】本発明の実施例１の撮影距離３５００ｍｍにおける横収差図である。
【図６】本発明の実施例１の無限遠における０．２５°防振時の横収差図である。
【図７】本発明の実施例２の無限遠におけるレンズ構成図である。
【図８】本発明の実施例２の無限遠における縦収差図である。
【図９】本発明の実施例２の撮影距離４５００ｍｍにおける縦収差図である。
【図１０】本発明の実施例２の無限遠における横収差図である。
【図１１】本発明の実施例２の撮影距離４５００ｍｍにおける横収差図である。
【図１２】本発明の実施例２の無限遠における０．２５°防振時の横収差図である。
【図１３】本発明の実施例３の無限遠におけるレンズ構成図である。
【図１４】本発明の実施例３の無限遠における縦収差図である。
【図１５】本発明の実施例３の撮影距離６０００ｍｍにおける縦収差図である。
【図１６】本発明の実施例３の無限遠における横収差図である。
【図１７】本発明の実施例３の撮影距離６０００ｍｍにおける横収差図である。
【図１８】本発明の実施例３の無限遠における０．２°防振時の横収差図である。
【図１９】本発明の実施例４の無限遠におけるレンズ構成図である。
【図２０】本発明の実施例４の無限遠における縦収差図である。
【図２１】本発明の実施例４の撮影距離６０００ｍｍにおける縦収差図である。
【図２２】本発明の実施例４の無限遠における横収差図である。
【図２３】本発明の実施例４の撮影距離６０００ｍｍにおける横収差図である。
【図２４】本発明の実施例４の無限遠における０．２°防振時の横収差図である。
【図２５】本発明の実施例５の無限遠におけるレンズ構成図である。
【図２６】本発明の実施例５の無限遠における縦収差図である。
【図２７】本発明の実施例５の撮影距離３５００ｍｍにおける縦収差図である。
【図２８】本発明の実施例５の無限遠における横収差図である。
【図２９】本発明の実施例５の撮影距離３５００ｍｍにおける横収差図である。
【図３０】本発明の実施例５の無限遠における０．２５°防振時の横収差図である。
【図３１】本発明の実施例６の無限遠におけるレンズ構成図である。
【図３２】本発明の実施例６の無限遠における縦収差図である。
【図３３】本発明の実施例６の撮影距離３５００ｍｍにおける縦収差図である。
【図３４】本発明の実施例６の無限遠における横収差図である。
【図３５】本発明の実施例６の撮影距離３５００ｍｍにおける横収差図である。
【図３６】本発明の実施例６の無限遠における０．２５°防振時の横収差図である。
【発明を実施するための形態】
【００１７】
本発明の結像光学系は、図１、７、１３、１９、２５、３１に示すレンズ構成図からわかるように、物体側から像側へ順に、正の屈折力の第１レンズ群Ｇ１と、負の屈折力の第２レンズ群Ｇ２と、開口絞りＳと、負の屈折力の第３レンズ群Ｇ３から構成され、前記第２レンズ群Ｇ２を光軸に沿って像面側へ移動させることにより無限遠物体から近距離物体へのフォーカシングを行っている。
【００１８】
前記第１レンズ群Ｇ１は第１レンズ群Ｇ１内の最も広いレンズ間隔を境に正の屈折力の第１ａレンズ群Ｇ１ａ、正の屈折力の第１ｂレンズ群Ｇ１ｂより成り、前記第１ａレンズ群Ｇ１ａは２枚の正レンズと１枚の負レンズから成り、前記第１ｂレンズ群Ｇ１ｂは１枚の正レンズと１枚の負レンズから構成される。
【００１９】
前記第３レンズ群Ｇ３は物体側より順に、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、前記第３ｂレンズ群Ｇ３ｂを光軸に対して略垂直方向へ移動させることにより撮影画像の結像位置を変位させる構成となっている。
【００２０】
本発明の結像光学系では、物体側から像側へ順に正の屈折力の第１レンズ群Ｇ１と負の屈折力の第２レンズ群Ｇ２、負の屈折力の第３レンズ群Ｇ３を配置している。正の屈折力の第１レンズ群Ｇ１と負の屈折力の後方レンズ群から成るテレフォトタイプの構成となっており、焦点距離に対して光学系の全長が長くなることを抑制している。
【００２１】
本発明の結像光学系では、負の屈折力の第２レンズ群Ｇ２を移動させることによりフォーカシングを行っている。正の第１レンズ群Ｇ１によって光束が収斂されるため、第１レンズ群Ｇ１に対して第２レンズ群Ｇ２はレンズ径が小さく軽量であり、これにより小型のアクチュエータで駆動できるようにしている。
【００２２】
また、本発明の結像光学系では、負の屈折力の第３レンズ群Ｇ３を配置して、テレフォトタイプの後方レンズ群の負の屈折力を第２レンズ群Ｇ２と分担させることで、光学系の全長の長大化を抑えながら第２レンズ群Ｇ２の横倍率を小さくしている。第２レンズ群Ｇ２の焦点距離が同じであれば、第２レンズ群Ｇ２の横倍率を小さくすることは第１レンズ群Ｇ１と第２レンズ群Ｇ２の主点間隔を広げる、即ち第２レンズ群Ｇ２の位置を像面に近づけることを意味する。第２レンズ群Ｇ２を光線高の低い像面寄りに配置することで、フォーカス群のさらなる小型化、軽量化が可能となる。
【００２３】
第１レンズ群Ｇ１は第１レンズ群Ｇ１内の最も広いレンズ間隔を境に正の屈折力の第１ａレンズ群Ｇ１ａ、正の屈折力の第１ｂレンズ群Ｇ１ｂより成り、２つのレンズ群で正の屈折力を分担することで、強い収斂作用を持ちながら球面収差をはじめとする諸収差の発生を抑えている。
【００２４】
第１ａレンズ群Ｇ１ａは２枚の正レンズと１枚の負レンズから成り、第１ｂレンズ群Ｇ１ｂは１枚の正レンズと１枚の負レンズから成り、それぞれの群内で球面収差をはじめとする諸収差を低減している。また、第１ｂレンズ群Ｇ１ｂはフォーカシング時に第１ａレンズ群Ｇ１ａ、及び第２レンズ群Ｇ２における球面収差をはじめとする諸収差の変動を相殺する役割を持つ。
【００２５】
第３レンズ群Ｇ３は、物体側より順に、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振機能とともに第１レンズ群Ｇ１及び第２レンズ群Ｇ２で残存した諸収差を補正する役割も果たしている。
【００２６】
正の屈折力の第３ａレンズ群Ｇ３ａにより光線を収斂することで、防振時に移動する第３ｂレンズ群Ｇ３ｂのレンズ径を小さくすることを可能にしている。さらに正の屈折力の第３ｃレンズ群Ｇ３ｃを配置することにより、光学系全系の焦点距離を保ちつつ第３ｂレンズ群Ｇ３ｂの負の屈折力を増大させることが可能となり、第３ｂレンズ群Ｇ３ｂの防振係数を大きくして、少ない移動量で撮影画像の結像位置を大きく変位させることができる。
【００２７】
さらに本発明の結像光学系は、以下の条件式を満足する。
（１）        ０．２５＜ｆ１／ｆ＜０．６０
（２）      −０．６０＜ｆ２／ｆ＜−０．１５
（３）      −２．５０＜ｆ３／ｆ＜−０．２５
（４）        ０．１５＜ｆ３ａ／ｆ＜２．００
（５）      −０．２０＜ｆ３ｂ／ｆ＜−０．０４
（６）        ０．０５＜ｆ３ｃ／ｆ＜０．２５
但し、
ｆ：無限遠撮影時の光学系全系の焦点距離
ｆ１：第１レンズ群Ｇ１の焦点距離
ｆ２：第２レンズ群Ｇ２の焦点距離
ｆ３：第３レンズ群Ｇ３の焦点距離
ｆ３ａ：第３ａレンズ群Ｇ３ａの焦点距離
ｆ３ｂ：第３ｂレンズ群Ｇ３ｂの焦点距離
ｆ３ｃ：第３ｃレンズ群Ｇ３ｃの焦点距離
【００２８】
条件式（１）は第１レンズ群Ｇ１の焦点距離と光学系全系の焦点距離との比について好ましい範囲を規定するものである。
【００２９】
条件式（１）の上限値を超えて第１レンズ群Ｇ１の正の屈折力が弱くなり過ぎると、テレフォトタイプの構成による光学系全長の短縮効果が弱まり、光学系全系の小型化が困難になる。また、第２レンズ群Ｇ２に入射する光束の光線高を十分に収斂させることができなくなり、フォーカス群重量の増加により高速なフォーカシングに不利になる上、駆動に大型のアクチュエータが必要になることから撮影レンズ全体の小型化も困難になる。一方、条件式（１）の下限値を超えて第１レンズ群Ｇ１の正の屈折力が強くなり過ぎると、結像光学系の小型化には有利になるが、第１レンズ群Ｇ１で発生する球面収差や軸上色収差の量が大きくなり、その補正が困難になる。
【００３０】
尚、条件式（１）について、望ましくはその下限値を０．３０に、また上限値を０．５５に限定することで、前述の効果をより確実にすることができる。
【００３１】
条件式（２）は第２レンズ群Ｇ２の焦点距離と光学系全系の焦点距離との比について好ましい範囲を規定するものである。
【００３２】
条件式（２）の上限値を超えて第２レンズ群Ｇ２の負の屈折力が強くなり過ぎると、フォーカシング時の軸上色収差、倍率色収差の変動が大きくなり、広いフォーカシング範囲で良好な性能を得ることが困難になる。一方、条件式（２）の下限値を超えて第２レンズ群Ｇ２の負の屈折力が弱くなり過ぎると、フォーカシング時の第２レンズ群Ｇ２の移動量が大きくなり、光学系全系の小型化が困難になる。
【００３３】
尚、条件式（２）について、望ましくはその下限値を−０．５５に、また上限値を−０．２０に限定することで、前述の効果をより確実にすることができる。
【００３４】
条件式（３）は第３レンズ群Ｇ３の焦点距離と光学系全系の焦点距離との比について好ましい範囲を規定するものである。
【００３５】
条件式（３）の上限値を超えて第３レンズ群Ｇ３の負の屈折力が強くなり過ぎると、光学系全系の焦点距離を維持するために第１レンズ群Ｇ１の正の屈折力を強くするか、第２レンズ群Ｇ２の負の屈折力を弱くする必要がある。第１レンズ群Ｇ１の正の屈折力が強くなり過ぎると、前述の通り第１レンズ群Ｇ１で発生する球面収差や軸上色収差の量が大きくなり、その補正が困難になる。また、第２レンズ群Ｇ２の負の屈折力が弱くなり過ぎると、前述の通りフォーカシング時の第２レンズ群Ｇ２の移動量が大きくなり、光学系全系の小型化が困難になる。
【００３６】
一方、条件式（３）の下限値を超えて第３レンズ群Ｇ３の負の屈折力が弱くなり過ぎると、光学系全長が長大化することを抑えるために第２レンズ群Ｇ２の横倍率を大きくする必要がある。横倍率を大きくするために、第２レンズ群Ｇ２の負の屈折力を強くすると、フォーカシング時の軸上色収差、倍率色収差の変動が大きくなり、広いフォーカシング範囲で良好な性能を得ることが困難になる。第２レンズ群Ｇ２の負の屈折力を変えずに横倍率を大きくするためには、第１レンズ群Ｇ１と第２レンズ群Ｇ２の主点間隔を小さくする必要がある。その場合、第２レンズ群Ｇ２における光線高が大きくなることによりフォーカス群重量が増加して高速なフォーカシングに不利になる上、駆動に大型のアクチュエータが必要になることから撮影レンズ全体の小型化も困難になる。
【００３７】
尚、条件式（３）について、望ましくはその下限値を−２．０に、また上限値を−０．３０に限定することで、前述の効果をより確実にすることができる。
【００３８】
条件式（４）〜（６）は十分に大きな防振係数を確保しながら、防振時でも良好な性能を得るために、第３レンズ群Ｇ３に含まれる各レンズ群の焦点距離と光学系全系の焦点距離との比について好ましい範囲を規定するものである。
【００３９】
条件式（４）の上限値を超えて第３ａレンズ群Ｇ３ａの正の屈折力が弱くなり過ぎると、第３ｂレンズ群Ｇ３ｂに入射する光線を十分に収斂できず、防振群の小型、軽量化が困難になる。
【００４０】
一方、条件式（４）の下限値を超えて第３ａレンズ群Ｇ３ａの正の屈折力が強くなり過ぎると、十分に大きな防振係数と防振時の良好な性能を得るためには、第３レンズ群Ｇ３の負の屈折力を弱くする必要がある。第３レンズ群Ｇ３の負の屈折力が弱くなり過ぎると、前述の通り光学系全長が長大化することを抑えるために第２レンズ群Ｇ２の横倍率を大きくする必要がある。横倍率を大きくするために、第２レンズ群Ｇ２の負の屈折力を強くすると、フォーカシング時の軸上色収差、倍率色収差の変動が大きくなり、広いフォーカシング範囲で良好な性能を得ることが困難になる。第２レンズ群Ｇ２の負の屈折力を変えずに横倍率を大きくするためには、第１レンズ群Ｇ１と第２レンズ群Ｇ２の主点間隔を小さくする必要がある。その場合、第２レンズ群Ｇ２における光線高が大きくなることによりフォーカス群重量が増加して高速なフォーカシングに不利になる上、駆動に大型のアクチュエータが必要になることから撮影レンズ全体の小型化も困難になる。
【００４１】
尚、条件式（４）について、望ましくはその下限値を０．２０に、また上限値を１．５０に限定することで、前述の効果をより確実にすることができる。
【００４２】
条件式（５）の上限値を超えて第３ｂレンズ群Ｇ３ｂの負の屈折力が強くなり過ぎると、防振係数が大きくなり、少ない移動量で撮影画像の結像位置を大きく変位させることができるが、防振群が光軸に対して略垂直方向に移動した時のコマ収差や非点収差の変動が大きくなり防振時に良好な性能を得ることが困難になる。一方、条件式（５）の下限値を超えて第３ｂレンズ群Ｇ３ｂの負の屈折力が弱くなり過ぎると、防振係数が小さくなり、撮影画像の結像位置を変位させるために必要な防振群の移動量が大きくなる。その為、防振群を駆動するアクチュエータの径が大型化して、撮影レンズ全体の小型化が困難になる。
【００４３】
尚、条件式（５）について、望ましくはその下限値を−０．１５に、また上限値を−０．０５に限定することで、前述の効果をより確実にすることができる。
【００４４】
条件式（６）の上限値を超えて第３ｃレンズ群Ｇ３ｃの正の屈折力が弱くなり過ぎると、防振係数が小さくなり、撮影画像の結像位置を変位させるために必要な防振群の移動量が大きくなる。その為、防振群を駆動するアクチュエータの径が大型化して、撮影レンズ全体の小型化が困難になる。一方、条件式（６）の下限値を超えて第３ｃレンズ群Ｇ３ｃの正の屈折力が強くなり過ぎると、防振係数が大きくなり、少ない移動量で撮影画像の結像位置を大きく変位させることができるが、防振群が光軸に対して略垂直方向に移動した時のコマ収差や非点収差の変動が大きくなり防振時に良好な性能を得ることが困難になる。
【００４５】
尚、条件式（６）について、望ましくはその下限値を０．０８に、また上限値を０．２０に限定することで、前述の効果をより確実にすることができる。
【００４６】
さらに本発明の結像光学系では、以下に示す条件式を満足する。
（７）        ８０＜νｄ１ａｐ
（８）        ０．０３０＜θｇＦ１ａｐ−０．６４８３＋０．００１８×νｄ１ａｐ
（９）        θｇＦ１ａｎ−０．６４８３＋０．００１８×νｄ１ａｎ＜０．０００
但し、
νｄ１ａｐ：第１ａレンズ群Ｇ１ａが有する２枚の正レンズの材料の、ｄ線に対するアッベ数
θｇＦ１ａｐ：第１ａレンズ群Ｇ１ａが有する２枚の正レンズの材料の、ｇ線とＦ線に対する部分分散比
νｄ１ａｎ：第１ａレンズ群Ｇ１ａが有する１枚の負レンズの材料の、ｄ線に対するアッベ数
θｇＦ１ａｎ：第１ａレンズ群Ｇ１ａが有する１枚の負レンズの材料の、ｇ線とＦ線に対する部分分散比
尚、ｇ線（波長４３５．８ｎｍ）、Ｆ線（波長４８６．１ｎｍ）、ｄ線（波長５８７．６ｎｍ）、及びＣ線（波長６５６．３ｎｍ）に対する屈折率を、それぞれｎｇ、ｎＦ、ｎｄ、ｎＣとした時、アッベ数νｄ、及び部分分散比θｇＦは以下の式で表される。
νｄ＝（ｎｄ−１）／（ｎＦ−ｎＣ）
θｇＦ＝（ｎｇ−ｎＦ）／（ｎＦ−ｎＣ）
【００４７】
条件式（７）、（８）、（９）は第１ａレンズ群Ｇ１ａに含まれる２枚の正レンズ、及び第１ａレンズ群Ｇ１ａに含まれる１枚の負レンズの材料について、２次スペクトルを含めて軸上色収差、倍率色収差を良好に補正するために好ましい光学特性を規定するものである。
【００４８】
一般に、２次スペクトルを含めて色収差を良好に補正するためには、アッベ数の差が大きく、部分分散比の差が小さくなるような正レンズと負レンズを組み合わせると良い。しかしながら、一般的な光学材料を使用する限り、略等しい部分分散比を有しながらアッベ数差を大きく取れる材料は存在しない。本発明の結像光学系では、第１ａレンズ群Ｇ１ａが低分散かつ異常分散性が高い（通常の材料と比較して部分分散比が大きい）材料から成る２枚の正レンズと、２枚の正レンズよりも高分散、かつ異常分散性の低い（通常の材料と比較して部分分散比が小さい）材料から成る１枚の負レンズを有することで、第１ａレンズ群Ｇ１ａ内で発生する２次スペクトルを含めた色収差を抑制している。
【００４９】
条件式（７）の下限を超えて２枚の正レンズのアッベ数が小さくなると、正レンズと負レンズとのアッベ数差を大きくすることが困難となり、色収差の補正が困難になる。
【００５０】
尚、条件式（７）について、望ましくはその下限値を９０に限定することで、前述の効果をより確実にすることができる。
【００５１】
条件式（８）の下限を超えて２枚の正レンズの異常分散性が低くなると、正レンズと負レンズの部分分散比の差を小さくすることが困難となり、色収差、特に２次スペクトルの補正が困難になる。
【００５２】
尚、条件式（８）について、望ましくはその下限値を０．０４０に限定することで、前述の効果をより確実にすることができる。
【００５３】
条件式（９）の上限を超えて１枚の負レンズの異常分散性が高くなると、正レンズと負レンズの部分分散比の差を小さくすることが困難となり、色収差、特に２次スペクトルの補正が困難になる。
【００５４】
尚、条件式（９）について、望ましくはその上限値を−０．００６に限定することで、前述の効果をより確実にすることができる。
【００５５】
さらに本発明の結像光学系では、以下に示す条件式を満足することが望ましい。
（１０）        ６５＜νｄ１ｂｐ
（１１）        ０．０１５＜θｇＦ１ｂｐ−０．６４８３＋０．００１８×νｄ１ｂｐ
（１２）        θｇＦ１ｂｎ−０．６４８３＋０．００１８×νｄ１ｂｎ＜０．０００
但し、
νｄ１ｂｐ：第１ｂレンズ群Ｇ１ｂが有する正レンズの材料の、ｄ線に対するアッベ数
θｇＦ１ｂｐ：第１ｂレンズ群Ｇ１ｂが有する正レンズの材料の、ｇ線とＦ線に対する部分分散比
νｄ１ｂｎ：第１ｂレンズ群Ｇ１ｂが有する負レンズの材料の、ｄ線に対するアッベ数
θｇＦ１ｂｎ：第１ｂレンズ群Ｇ１ｂが有する負レンズの材料の、ｇ線とＦ線に対する部分分散比
【００５６】
条件式（１０）、（１１）、（１２）は第１ｂレンズ群Ｇ１ｂに含まれる正レンズ、及び第１ｂレンズ群Ｇ１ｂに含まれる負レンズの材料について、２次スペクトルを含めて軸上色収差、倍率色収差を良好に補正するために好ましい光学特性を規定するものである。
【００５７】
前述の通り、２次スペクトルを含めて色収差を良好に補正するためには、アッベ数の差が大きく、部分分散比の差が小さくなるような正レンズと負レンズを組み合わせると良い。しかしながら、一般的な光学材料を使用する限り、略等しい部分分散比を有しながらアッベ数差を大きく取れる材料は存在しない。本発明の結像光学系では、第１ｂレンズ群Ｇ１ｂが低分散かつ異常分散性が高い（通常の材料と比較して部分分散比が大きい）材料から成る正レンズと、正レンズよりも高分散、かつ異常分散性の低い（通常の材料と比較して部分分散比が小さい）材料から成る負レンズを有することで、第１ｂレンズ群Ｇ１ｂ内で発生する２次スペクトルを含めた色収差を抑制している。
【００５８】
条件式（１０）の下限を超えて正レンズのアッベ数が小さくなると、正レンズと負レンズとのアッベ数差を大きくすることが困難となり、色収差の補正が困難になる。
【００５９】
尚、条件式（１０）について、望ましくはその下限値を６８に限定することで、前述の効果をより確実にすることができる。
【００６０】
条件式（１１）の下限を超えて正レンズの異常分散性が低くなると、正レンズと負レンズの部分分散比の差を小さくすることが困難となり、色収差、特に２次スペクトルの補正が困難になる。
【００６１】
尚、条件式（１１）について、望ましくはその下限値を０．０１８に限定することで、前述の効果をより確実にすることができる。
【００６２】
条件式（１２）の上限を超えて負レンズの異常分散性が高くなると、正レンズと負レンズの部分分散比の差を小さくすることが困難となり、色収差、特に２次スペクトルの補正が困難になる。
【００６３】
尚、条件式（１２）について、望ましくはその上限値を−０．００４に限定することで、前述の効果をより確実にすることができる。
【００６４】
さらに本発明の結像光学系では、第２レンズ群は１枚の正レンズと１枚の負レンズとを接合した接合レンズから構成されることが望ましい。この構成により、フォーカス群を軽量化しながら、フォーカシング時の軸上色収差の変動を抑制し、広いフォーカシング範囲で良好な性能を得ることが可能となる。
【００６５】
また、以下に示す条件式を満足することが望ましい。
（１３）        Ｄ２／ＬＴ＜０．６５
但し、
Ｄ２：無限遠における、第２レンズ群の最も物体側のレンズ面から像面までの距離
ＬＴ：無限遠における、光学系全系の最も物体側のレンズ面から像面までの距離
【００６６】
条件式（１３）は第２レンズ群Ｇ２の光軸上の位置に関するもので、第２レンズ群Ｇ２の径を小さくして、軽量化するために好ましい配置を規定するものである。
【００６７】
条件式（１３）の上限を超えて、第２レンズ群Ｇ２の最も物体側のレンズ面から像面までの距離が大きくなり過ぎると、光線高が大きくなり第２レンズ群Ｇ２の径が増大し、重量も大きくなる。その為、フォーカス群重量の増加により高速なフォーカシングに不利になる上、駆動に大型のアクチュエータが必要になることから撮影レンズ全体の小型化も困難になる。
【００６８】
尚、条件式（１３）について、望ましくはその上限値を０．６０に限定することで、前述の効果をより確実にすることができる。
【００６９】
さらに本発明の結像光学系では、第１ａレンズ群Ｇ１ａは条件式（７）、及び条件式（８）を満足する２枚の正レンズを有する。２枚の正レンズを有することにより、第１ａレンズ群Ｇ１ａ内で発生する球面収差をはじめとする諸収差をより良好に補正することが可能となる。また、２枚の正レンズが条件式（７）、及び条件式（８）を満足することで２次スペクトルを含めて軸上色収差、倍率色収差をより良好に補正することが可能となる。
【００７０】
本発明の結像光学系では、以下の構成を伴うことがより効果的である。
【００７１】
本発明の結像光学系では、第３ｂレンズ群Ｇ３ｂは１枚の正レンズと２枚の負レンズから構成されることが望ましい。この構成により、防振群の重量増加を抑えながら、高い防振係数を実現し、防振時における、色収差、コマ収差、非点収差等の諸収差の変動を十分に抑制することが可能となる。
【００７２】
さらに本発明の結像光学系では、第３ｃレンズ群Ｇ３ｃは少なくとも１枚の負レンズと複数の正レンズを有することが望ましい。この構成により、第３ｃレンズ群Ｇ３ｃ内で生じる球面収差、色収差等の諸収差を抑制しながら、第３ｃレンズ群Ｇ３ｃの正の屈折力を強めて高い防振係数を得ることが可能となる。
【００７３】
次に、本発明の結像光学系に係る実施例のレンズ構成について説明する。尚、以下の説明ではレンズ構成を物体側から像側の順番で記載する。
【実施例１】
【００７４】
図１は、本発明の実施例１の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【００７５】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、像側に凸面を向けた負メニスカスレンズＬ２、両凸形状の正レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【００７６】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【００７７】
開口絞りＳは第２レンズ群Ｇ２と第３レンズ群Ｇ３の間に配置されている。
【００７８】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【００７９】
第３ａレンズ群Ｇ３ａは、両凸形状の正レンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。第３ｃレンズ群Ｇ３ｃは、両凸形状の正レンズＬ１３と、両凸形状の正レンズＬ１４と両凹形状の負レンズＬ１５との２枚のレンズからなる接合レンズとから構成される。
【００８０】
光学フィルターＦＬは第３レンズ群Ｇ３と像面Ｉとの間に配置されている。
【実施例２】
【００８１】
図７は、本発明の実施例２の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【００８２】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、像側に凸面を向けた負メニスカスレンズＬ２、両凸形状の正レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【００８３】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【００８４】
開口絞りＳは第２レンズ群Ｇ２と第３レンズ群Ｇ３の間に配置されている。
【００８５】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【００８６】
第３ａレンズ群Ｇ３ａは、両凸形状の正レンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。第３ｃレンズ群Ｇ３ｃは、両凸形状の正レンズＬ１３と、両凸形状の正レンズＬ１４と両凹形状の負レンズＬ１５との２枚のレンズからなる接合レンズとから構成される。
【００８７】
光学フィルターＦＬは第３レンズ群Ｇ３と像面Ｉとの間に配置されている。
【実施例３】
【００８８】
図１３は、本発明の実施例３の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【００８９】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、像側に凸面を向けた負メニスカスレンズＬ２、両凸形状の正レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【００９０】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【００９１】
開口絞りＳは第２レンズ群Ｇ２と第３レンズ群Ｇ３の間に配置されている。
【００９２】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【００９３】
第３ａレンズ群Ｇ３ａは、像側に凸面を向けた正メニスカスレンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。第３ｃレンズ群Ｇ３ｃは、両凸形状の正レンズＬ１３と、両凸形状の正レンズＬ１４と両凹形状の負レンズＬ１５との２枚のレンズからなる接合レンズと、像側に凸面を向けた正メニスカスレンズＬ１６と像側に凸面を向けた負メニスカスレンズＬ１７との２枚のレンズからなる接合レンズから構成される。
【００９４】
光学フィルターＦＬは第３レンズ群Ｇ３と像面Ｉとの間に配置されている。
【実施例４】
【００９５】
図１９は、本発明の実施例４の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【００９６】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、像側に凸面を向けた負メニスカスレンズＬ２、両凸形状の正レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【００９７】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【００９８】
開口絞りＳは第２レンズ群Ｇ２と第３レンズ群Ｇ３の間に配置されている。
【００９９】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【０１００】
第３ａレンズ群Ｇ３ａは、像側に凸面を向けた正メニスカスレンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。第３ｃレンズ群Ｇ３ｃは、両凸形状の正レンズＬ１３と、両凸形状の正レンズＬ１４と像側に凸面を向けた負メニスカスレンズＬ１５との２枚のレンズからなる接合レンズと、像側に凸面を向けた正メニスカスレンズＬ１６と像側に凸面を向けた負メニスカスレンズＬ１７との２枚のレンズからなる接合レンズから構成される。
【０１０１】
光学フィルターＦＬは第３レンズ群Ｇ３と像面Ｉとの間に配置されている。
【実施例５】
【０１０２】
図２５は、本発明の実施例５の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【０１０３】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、像側に凸面を向けた負メニスカスレンズＬ２、両凸形状の正レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【０１０４】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【０１０５】
開口絞りＳは第２レンズ群Ｇ２と第３レンズ群Ｇ３の間に配置されている。
【０１０６】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【０１０７】
第３ａレンズ群Ｇ３ａは、像側に凸面を向けた正メニスカスレンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。第３ｃレンズ群Ｇ３ｃは、両凸形状の正レンズＬ１３と、両凸形状の正レンズＬ１４と両凹形状の負レンズＬ１５との２枚のレンズからなる接合レンズとから構成される。
【０１０８】
光学フィルターＦＬは第３レンズ群Ｇ３と像面Ｉとの間に配置されている。
【実施例６】
【０１０９】
図３１は、本発明の実施例６の結像光学系のレンズ構成図である。物体側から像側へ順に、正の屈折力の第１レンズ群Ｇ１と、負の屈折力の第２レンズ群Ｇ２と、負の屈折力の第３レンズ群Ｇ３から構成される。
【０１１０】
第１レンズ群Ｇ１は、正の屈折力の第１ａレンズ群Ｇ１ａと正の屈折力の第１ｂレンズ群Ｇ１ｂから構成される。第１ａレンズ群Ｇ１ａは、両凸形状の正レンズＬ１、両凸形状の正レンズＬ２、両凹形状の負レンズＬ３から構成される。第１ｂレンズ群Ｇ１ｂは、物体側に凸面を向けた負メニスカスレンズＬ４と物体側に凸面を向けた正メニスカスレンズＬ５との２枚のレンズからなる接合レンズで構成される。
【０１１１】
第２レンズ群Ｇ２は、両凸形状の正レンズＬ６と両凹形状の負レンズＬ７との２枚のレンズからなる接合レンズで構成され、第２レンズ群Ｇ２を光軸に沿って像面側へ移動させることにより無限遠物体から近距離物体へのフォーカシングを行っている。
【０１１２】
開口絞りＳは第２レンズ群Ｇ２と第３レンズ群Ｇ３の間に配置されている。
【０１１３】
第３レンズ群Ｇ３は、正の屈折力の第３ａレンズ群Ｇ３ａ、負の屈折力の第３ｂレンズ群Ｇ３ｂ、正の屈折力の第３ｃレンズ群Ｇ３ｃの３つの群から構成され、防振時は第３ｂレンズ群Ｇ３ｂを光軸に対して略垂直方向へ移動させることにより撮影画像の結像位置を変位させている。
【０１１４】
第３ａレンズ群Ｇ３ａは、両凸形状の正レンズＬ８と像側に凸面を向けた負メニスカスレンズＬ９との２枚のレンズからなる接合レンズで構成される。第３ｂレンズ群Ｇ３ｂは、両凸形状の正レンズＬ１０と両凹形状の負レンズＬ１１との２枚のレンズからなる接合レンズと、両凹形状の負レンズＬ１２とから構成される。３ｃレンズ群Ｇ３ｃは、両凸形状の正レンズＬ１３と、両凸形状の正レンズＬ１４と両凹形状の負レンズＬ１５との２枚のレンズからなる接合レンズとから構成される。
【０１１５】
光学フィルターＦＬは第３レンズ群Ｇ３と像面Ｉとの間に配置されている。
【０１１６】
以下に、前述した本発明の結像光学系の各実施例の具体的な数値データを示す。
【０１１７】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１１８】
ＢＦはバックフォーカスを表している。
【０１１９】
面番号に付した（絞り）は、その位置に開口絞りが位置していることを示している。平面又は開口絞りに対する曲率半径には∞（無限大）を記入している。
【０１２０】
［各種データ］には、撮影距離がＩＮＦのときの焦点距離等の値を示している。さらに、数値実施例１においては３５００ｍｍのとき、数値実施例２においては４５００ｍｍのとき、数値実施例３においては６０００ｍｍのとき、数値実施例４においては６０００ｍｍのとき、数値実施例５においては３５００ｍｍのとき、数値実施例６においては３５００ｍｍのときの焦点距離等の値を示している。
【０１２１】
［可変間隔データ］には、撮影距離がＩＮＦのときの可変面間隔及びＢＦ（バックフォーカス）の値を示している。さらに、数値実施例１においては３５００ｍｍのとき、数値実施例２においては４５００ｍｍのとき、数値実施例３においては６０００ｍｍのとき、数値実施例４においては６０００ｍｍのとき、数値実施例５においては３５００ｍｍのとき、数値実施例６においては３５００ｍｍのときの可変面間隔及びＢＦ（バックフォーカス）の値を示している。
【０１２２】
［レンズ群データ］には、各レンズ群を構成する最も物体側の面番号及び群全体の合成焦点距離を示している。
【０１２３】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１２４】
また、これらの各実施例における条件式の対応値の一覧を示す。
【０１２５】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１２６】
数値実施例１
単位：mm
[面データ]
面番号            r             d             nd            vd
物面                ∞          (d0)
1            279.6739       14.9867       1.43700         95.10
2           -293.8016       36.9998
3           -198.9937        3.0000       1.80611         40.73
4           -898.9366        2.0010
5            202.4142       14.7159       1.43700         95.10
6           -393.7116      100.6465
7            100.5861        2.3000       1.72916         54.67
8             52.3940       12.6635       1.59282         68.62
9            346.3033          (d9)
10          1315.7550        3.2032       1.84666         23.78
11          -225.0287        1.6000       1.77250         49.62
12           120.9056         (d12)
13(絞り)              ∞        8.2693
14           370.3463        4.7840       1.65844         50.85
15           -58.4896        1.0000       1.84666         23.78
16          -139.3665       10.6788
17            83.7235        3.3809       1.75520         27.53
18           -90.9109        0.9000       1.59349         67.00
19            31.7574        4.7980
20           -70.4267        0.7000       1.72916         54.67
21            98.5304        5.5023
22            85.6968        8.0250       1.56732         42.84
23           -82.5675        0.2589
24            51.8207        6.4564       1.56732         42.84
25           -92.1162        1.0000       1.84666         23.78
26           151.0294       12.5976
27                 ∞        1.3000       1.51680         64.20
28                 ∞          (BF)
像面                ∞
[各種データ]
INF          3500mm
焦点距離          487.00        372.04
Fナンバー            4.11          4.11
全画角2ω            5.06          3.86
像高Y             21.63         21.63
レンズ全長         404.50        404.50
防振係数            2.39          2.39
[可変間隔データ]
INF          3500mm
d0                 ∞     3095.4980
d9             7.5520       27.6578
d12            59.6448       39.5390
BF            75.5375       75.5375
[レンズ群データ]
群           始面        焦点距離
G1             1             208.44
G2            10            -185.05
G3            14            -644.77
G1a             1             322.29
G1b             7             328.91
G3a            14             216.22
G3b            17             -39.20
G3c            22              61.00
【０１２７】
数値実施例２
単位：mm
[面データ]
面番号            r             d             nd            vd
物面                ∞          (d0)
1            277.0275       21.2263       1.43700         95.10
2           -335.5898       44.0000
3           -220.3675        3.6000       1.78590         43.93
4          -1922.2641        2.0000
5            240.0018       17.7493       1.43700         95.10
6           -389.5080      126.2759
7            108.3853        3.0000       1.72916         54.67
8             56.4838       11.6548       1.59282         68.62
9            292.6583          (d9)
10          1711.0662        3.0671       1.84666         23.78
11          -247.9646        1.6800       1.77250         49.62
12           127.3415         (d12)
13(絞り)              ∞       23.7251
14           130.0125        5.8385       1.65844         50.85
15           -65.6132        1.0000       1.84666         23.78
16          -178.6198        7.0000
17           470.9643        2.7220       1.84666         23.78
18           -76.0164        1.0800       1.59349         67.00
19            52.7905        3.4780
20          -104.9201        0.8400       1.72916         54.67
21            66.6611        5.5364
22            82.5285        8.5170       1.54072         47.20
23           -94.8406        0.1500
24            77.2535        6.2741       1.62004         36.30
25           -79.6843        1.2000       1.84666         23.78
26           207.1350       11.0000
27                 ∞        1.3000       1.51680         64.20
28                 ∞          (BF)
像面                ∞
[各種データ]
INF          4500mm
焦点距離          584.99        440.96
Fナンバー            4.12          4.12
全画角2ω            4.20          3.36
像高Y             21.63         21.63
レンズ全長         466.67        466.67
防振係数            2.58          2.58
[可変間隔データ]
INF          4500mm
d0                 ∞     4033.3272
d9            16.9918       39.8415
d12            46.9500       24.1003
BF            88.8163       88.8163
[レンズ群データ]
群           始面        焦点距離
G1             1             256.64
G2            10            -190.00
G3            14            -868.75
G1a             1             378.34
G1b             7             415.92
G3a            14             145.00
G3b            17             -41.19
G3c            22              73.12
【０１２８】
数値実施例３
単位：mm
[面データ]
面番号            r             d             nd            vd
物面                ∞          (d0)
1            223.4199       19.6506       1.43700         95.10
2           -414.9195       58.0000
3           -213.9680        4.7988       1.78590         43.93
4          -4611.3217        2.0000
5            216.3799       15.2199       1.43700         95.10
6           -344.6887       91.0556
7            115.6324        2.3000       1.72916         54.67
8             55.2236       11.0135       1.59282         68.62
9            266.8909          (d9)
10          1809.6436        2.5639       1.84666         23.78
11          -332.2571        2.2394       1.77250         49.62
12           129.1855         (d12)
13(絞り)              ∞       20.8320
14          -226.5274        3.8448       1.56732         42.84
15           -50.7807        1.0000       1.83481         42.72
16           -77.2684        7.0000
17            79.8481        3.3910       1.75520         27.53
18          -112.7920        1.4396       1.59282         68.62
19            38.9858        3.6657
20           -92.5287        1.1197       1.77250         49.62
21            92.1075        5.5000
22            95.3124        3.3993       1.60342         38.01
23          -295.1898        2.0000
24            86.0725        6.1799       1.60342         38.01
25           -53.6086        1.0000       1.80809         22.76
26         24080.5737        2.0000
27          -280.5473        3.2159       1.60342         38.01
28           -65.0705        1.2000       1.80809         22.76
29          -114.1459       53.6571
30                 ∞        1.3000       1.51680         64.20
31                 ∞          (BF)
像面                ∞
[各種データ]
INF          6000mm
焦点距離          780.00        569.26
Fナンバー            5.75          5.75
全画角2ω            3.16          2.52
像高Y             21.63         21.63
レンズ全長         499.50        499.50
防振係数            2.75          2.75
[可変間隔データ]
INF          6000mm
d0                 ∞     5500.4979
d9            29.2510       47.0277
d12            64.1270       46.3503
BF            75.5374       75.5374
[レンズ群データ]
群           始面        焦点距離
G1             1             266.83
G2            10            -189.40
G3            14            -435.28
G1a             1             359.30
G1b             7             583.29
G3a            14             321.33
G3b            17             -48.83
G3c            22              76.34
【０１２９】
数値実施例４
単位：mm
[面データ]
面番号            r             d             nd            vd
物面                ∞          (d0)
1            231.3357       19.3266       1.43700         95.10
2           -408.8762       58.0000
3           -219.2671        4.7988       1.78590         43.93
4          -6353.0495        2.0000
5            211.9979       14.8561       1.43700         95.10
6           -381.2947       93.5269
7            122.1491        2.3000       1.72916         54.67
8             57.6733       10.8783       1.59282         68.62
9            294.4607          (d9)
10           670.9370        2.4069       1.84666         23.78
11          -833.8230        1.5000       1.77250         49.62
12           151.3952         (d12)
13(絞り)              ∞       15.1885
14           -99.6393        4.6339       1.56732         42.84
15           -41.4546        1.0000       1.83481         42.72
16           -60.7333        7.0000
17            87.3698        3.3060       1.75520         27.53
18          -108.6903        1.4396       1.59282         68.62
19            42.7542        3.3513
20           -99.0710        1.1197       1.77250         49.62
21            91.3204        5.5000
22            99.9115        3.3916       1.60342         38.01
23          -245.0297        2.0000
24            98.6661        5.6954       1.60342         38.01
25           -54.6494        1.0000       1.80809         22.76
26          -931.1708        6.4494
27          -155.8755        2.5643       1.60342         38.01
28           -68.7773        1.0000       1.80809         22.76
29          -106.7905       56.3167
30                 ∞        1.3000       1.51680         64.20
31                 ∞          (BF)
像面                ∞
[各種データ]
INF          6000mm
焦点距離          780.00        564.45
Fナンバー            5.76          5.76
全画角2ω            3.16          2.56
像高Y             21.63         21.63
レンズ全長         499.50        499.50
防振係数            2.75          2.75
[可変間隔データ]
INF          6000mm
d0                 ∞     5500.4979
d9            22.5802       44.8880
d12            69.5342       47.2264
BF            75.5376       75.5373
[レンズ群データ]
群           始面        焦点距離
G1             1             273.94
G2            10            -267.55
G3            14            -269.22
G1a             1             369.78
G1b             7             596.37
G3a            14             551.33
G3b            17             -51.31
G3c            22              81.50
【０１３０】
数値実施例５
単位：mm
[面データ]
面番号            r             d             nd            vd
物面                ∞          (d0)
1            309.9871       16.3389       1.43700         95.10
2           -275.1845       36.7800
3           -197.7700        3.0000       1.80611         40.73
4           -862.8791        2.2987
5            203.4143       14.1181       1.43700         95.10
6           -474.9011      111.0570
7            103.2130        3.0000       1.72916         54.67
8             54.3435       13.1302       1.59282         68.62
9            517.9425          (d9)
10           569.5601        3.0742       1.84666         23.78
11          -321.9291        1.2000       1.77250         49.62
12           120.2215         (d12)
13(絞り)              ∞        3.0038
14          -322.6058        4.2151       1.65844         50.85
15           -70.4800        1.0000       1.84666         23.78
16          -126.6655       16.7285
17            81.4011        3.6432       1.75520         27.53
18          -144.9320        0.9000       1.59349         67.00
19            36.1244        3.9522
20          -102.6136        0.7000       1.72916         54.67
21            97.4610        8.9790
22            79.3471        4.6629       1.56732         42.84
23          -125.0684        0.1608
24            67.6737        6.7189       1.56732         42.84
25           -79.8578        1.0000       1.84666         23.78
26           234.9988       11.0000
27                 ∞        1.3000       1.51680         64.20
28                 ∞          (BF)
像面                ∞
[各種データ]
INF          3500mm
焦点距離          487.00        368.32
Fナンバー            4.11          4.11
全画角2ω            5.06          3.98
像高Y             21.63         21.63
レンズ全長         408.00        408.00
防振係数            1.90          1.90
[可変間隔データ]
INF          3500mm
d0                 ∞     3092.0000
d9             6.0005       28.2775
d12            54.0024       31.7254
BF            76.0355       76.0354
[レンズ群データ]
群           始面        焦点距離
G1             1             208.18
G2            10            -213.40
G3            14            -388.25
G1a             1             345.83
G1b             7             285.77
G3a            14             497.38
G3b            17             -49.43
G3c            22              74.20
【０１３１】
数値実施例６
単位：mm
[面データ]
面番号            r             d             nd            vd
物面                ∞          (d0)
1            197.0787       14.2075       1.43700         95.10
2           -745.1275       36.8830
3            228.1856       12.5363       1.43700         95.10
4           -339.2742        3.0564
5           -320.2416        3.0000       1.77250         49.62
6            697.5694      105.5248
7             87.4526        2.3000       1.83481         42.72
8             61.1024       11.4920       1.49700         81.61
9            532.8965          (d9)
10           831.5558        3.1995       1.84666         23.78
11          -631.8486        1.2000       1.77250         49.62
12           136.6207         (d12)
13(絞り)              ∞       13.8885
14           207.0341        5.0539       1.65844         50.85
15           -85.8829        1.4000       1.84666         23.78
16          -184.4800        7.6965
17           138.0549        4.0734       1.75520         27.53
18           -63.7059        0.9000       1.59349         67.00
19            45.4247        3.2903
20          -100.0270        0.7000       1.72916         54.67
21            56.6828        6.0150
22            68.6013        4.4280       1.58913         61.25
23          -164.3258        4.0112
24            72.0287        6.9122       1.67270         32.17
25           -52.9933        1.0000       1.84666         23.78
26           276.6982       11.0000
27                 ∞        1.3000       1.51680         64.20
28                 ∞          (BF)
像面                ∞
[各種データ]
INF          3500mm
焦点距離          487.00        373.21
Fナンバー            4.12          4.12
全画角2ω            5.06          3.86
像高Y             21.63         21.63
レンズ全長         410.00        410.00
防振係数            2.39          2.39
[可変間隔データ]
INF          3500mm
d0                 ∞     3090.0000
d9             6.0000       31.3629
d12            62.8961       37.5332
BF            76.0355       76.0355
[レンズ群データ]
群           始面        焦点距離
G1             1             227.02
G2            10            -221.99
G3            14            -672.70
G1a             1             374.91
G1b             7             313.37
G3a            14             180.14
G3b            17             -39.91
G3c            22              64.77
【０１３２】
[条件式対応値]
1        2        3        4        5        6
(1)       f1/f           0.428    0.439    0.342    0.351    0.427    0.466
(2)       f2/f          -0.380   -0.325   -0.243   -0.343   -0.438   -0.456
(3)       f3/f          -1.324   -1.485   -0.558   -0.345   -0.797   -1.381
(4)      f3a/f           0.444    0.248    0.412    0.707    1.021    0.370
(5)      f3b/f          -0.080   -0.070   -0.063   -0.066   -0.102   -0.082
(6)      f3c/f           0.125    0.125    0.098    0.104    0.152    0.133
(7)      vd1ap           95.10    95.10    95.10    95.10    95.10    95.10
(8) θgF1ap-0.6483      0.0563   0.0563   0.0563   0.0563   0.0563   0.0563
+0.0018×νd1ap
(9) θgF1an-0.6483     -0.0079  -0.0081  -0.0081  -0.0081  -0.0079  -0.0087
+0.0018×νd1an
(10)     νd1bp           68.63    68.63    68.63    68.63    68.63    81.61
(11) θgF1bp-0.6483      0.0193   0.0193   0.0193   0.0193   0.0193   0.0374
+0.0018×νd1bp
(12) θgF1bn-0.6483     -0.0047  -0.0047  -0.0047  -0.0047  -0.0047  -0.0063
+0.0018×νd1bn
(13)      D2/LT           0.518    0.472    0.533    0.543    0.496    0.524
【符号の説明】
【０１３３】
Ｇ１    第１レンズ群
Ｇ２    第２レンズ群
Ｇ３    第３レンズ群
Ｇ１ａ  第１ａレンズ群
Ｇ１ｂ  第１ｂレンズ群
Ｇ３ａ  第３ａレンズ群
Ｇ３ｂ  第３ｂレンズ群
Ｇ３ｃ  第３ｃレンズ群
Ｓ      開口絞り
ＦＬ    光学フィルター
Ｉ      像面
【図１】
0006627313.tif 000002
【図２】
0006627313.tif 000003
【図３】
0006627313.tif 000004
【図４】
0006627313.tif 000005
【図５】
0006627313.tif 000006
【図６】
0006627313.tif 000007
【図７】
0006627313.tif 000008
【図８】
0006627313.tif 000009
【図９】
0006627313.tif 000010
【図１０】
0006627313.tif 000011
【図１１】
0006627313.tif 000012
【図１２】
0006627313.tif 000013
【図１３】
0006627313.tif 000014
【図１４】
0006627313.tif 000015
【図１５】
0006627313.tif 000016
【図１６】
0006627313.tif 000017
【図１７】
0006627313.tif 000018
【図１８】
0006627313.tif 000019
【図１９】
0006627313.tif 000020
【図２０】
0006627313.tif 000021
【図２１】
0006627313.tif 000022
【図２２】
0006627313.tif 000023
【図２３】
0006627313.tif 000024
【図２４】
0006627313.tif 000025
【図２５】
0006627313.tif 000026
【図２６】
0006627313.tif 000027
【図２７】
0006627313.tif 000028
【図２８】
0006627313.tif 000029
【図２９】
0006627313.tif 000030
【図３０】
0006627313.tif 000031
【図３１】
0006627313.tif 000032
【図３２】
0006627313.tif 000033
【図３３】
0006627313.tif 000034
【図３４】
0006627313.tif 000035
【図３５】
0006627313.tif 000036
【図３６】
0006627313.tif 000037